(57)【要約】【課題】表示特性の良好なカラーフィルタ基板、カラーフィルタ基板の製造方法、電気光学装置及び電子機器を提供する。【解決手段】カラーフィルタ電極基板２０は、額縁状遮光膜５０により囲まれた領域内に隣り合う第１領域２０１及び第２領域２０２とを有する。第１領域２０１では１絵素毎に１色の第１領域用着色層１６０が配置され、第２領域２０２では１絵素毎に３色の第２領域用着色層６０Ｒ、６０Ｇ、６０Ｂが配置されている。第２領域２０２には、第１領域２０１の表示に応じて特定色が表示される。【選択図】　　図５
2004094167.tif 000002
【特許請求の範囲】
【請求項１】
複数の絵素を有する第１領域と該第１領域の周縁に隣り合い該周縁に沿って配置された複数の絵素を有する第２領域とを備え、前記第２領域は前記第１領域の表示に応じて特定色が表示される電気光学装置に用いられるカラーフィルタ基板であって、
前記カラーフィルタ基板は、
基板と、
前記基板上に配置され、前記第１領域及び前記第２領域を囲む額縁状の遮光膜と、
前記基板上の前記第１領域の各前記絵素に対応して１色づつ配置された複数の色の異なる第１領域用着色層と、
前記基板上の前記第２領域の各前記絵素に対応して配置され、且つ各前記複数の第１着色層と同じ部材を含む複数の色の異なる第２領域用着色層とを具備することを特徴とするカラーフィルタ基板。
【請求項２】
前記第２領域は前記第１領域の表示に応じて白色または黒色に表示されることを特徴とする請求項１記載のカラーフィルタ基板。
【請求項３】
前記第１領域はほぼ矩形状を有し、前記第２領域は前記第１領域の一辺に沿って配置されていることを特徴とする請求項１または請求項２記載のカラーフィルタ基板。
【請求項４】
前記第１領域はほぼ矩形状を有し、前記第２領域は前記第１領域を囲うように配置されていることを特徴とする請求項１または請求項２記載のカラーフィルタ基板。
【請求項５】
前記複数の第１領域用着色層は、赤色着色層、青色着色層及び緑色着色層を有し、
前記第２領域の各前記絵素には、赤色着色層、青色着色層及び緑色着色層の３色の前記第２領域用着色層が配置されていることを特徴とする請求項１から請求項４いずれか一項に記載のカラーフィルタ基板。
【請求項６】
複数の絵素を有する第１領域と該第１領域の周縁に隣り合い該周縁に沿って配置された複数の絵素を有する第２領域とを備え、前記第２領域は前記第１領域の表示に応じて特定色が表示される電気光学装置に用いられるカラーフィルタ基板の製造方法であって、
基板上に前記第１領域および前記第２領域を囲むように額縁状の遮光膜を形成する工程と、
前記基板上に前記第１領域の前記絵素に対応して第１領域用の第１着色層を形成するとともに、前記第２領域の各前記絵素の一部に対応して前記第１領域用の第１着色層と同じ部材からなる第２領域用の第１着色層を形成する工程と、
前記基板上に前記第１領域の前記絵素に対応して第１領域用の第２着色層を形成するとともに、前記第２領域の各前記絵素の残りの一部に対応して前記第１領域用の第２着色層と同じ部材からなる第２領域用の第２着色層を形成する工程と、
を具備することを特徴とするカラーフィルタ基板の製造方法。
【請求項７】
前記基板上に前記第１領域の前記絵素に対応して第１領域用の第３着色層を形成するとともに、前記第２領域の各前記絵素の残りの一部に対応して前記第１領域用の第３着色層と同じ部材からなる第２領域用の第３着色層を形成する工程を更に備えることを特徴とする請求項６記載のカラーフィルタ基板の製造方法。
【請求項８】
請求項１から請求項５いずれか一項に記載のカラーフィルタ基板を備えた電気光学装置。
【請求項９】
請求項８記載の電気光学装置を備えた電子機器。
【発明の詳細な説明】
【０００１】
【発明の属する技術分野】
本発明は、カラー電気光学装置に用いられるカラーフィルタ基板、カラーフィルタ基板の製造方法、電気光学装置及び電子機器に関するものである。
【０００２】
【従来の技術】
電気光学装置の一例としての液晶装置は、電気光学パネルとしての一例としての液晶表示パネルとこれを駆動する駆動回路とを備える。液晶表示パネルは一対の基板間に電気光学物質の一例としての液晶が挟時されてなり、一対の基板の一方の基板に着色層を配置してカラーフィルタ基板とすることにより液晶装置のカラー表示を実現している。
【０００３】
カラーフィルタ基板では、額縁状の遮光膜と、額縁状の遮光膜により囲まれた領域に例えばストライプ状に赤色着色層、緑色着色層、青色着色層の３色からなる着色層が配置されている。液晶装置の一対の基板各々には電極が配置され、向い合う電極と向い合う電極間に位置する液晶とにより絵素が形成され、各絵素毎に１色の着色層が配置される（例えば特許文献１参照）。そして、赤色着色層、緑色着色層及び青色着色層がそれぞれ配置された３つの絵素により１つの画素を形成し、各絵素毎に印加する電圧を選択的に変化させることによって、画素に所望の色表示を行うことができる。
【０００４】
【特許文献１】
特開２００２−２０７２１０（第４頁―第５頁、図１）
【発明が解決しようとする課題】
上述の液晶装置において、額縁状遮光膜により囲まれた領域は表示領域となるわけだが、表示領域の中央部にある画素と、表示領域の最も端にある画素とでは、同じ色を表示しようとしても同じ色を表示できなかった。すなわち、表示領域の中央部に位置する画素は左右両側に画素が存在する状態であるのに対し、表示領域の最も端に位置する１ラインの画素群は一方の側に画素が存在してももう一方の側には画素が存在しない状態であるため、両者は同じ色を表示しようとしても、表示領域の最も端に位置する１ラインの画素群による表示色は、この１ラインの画素群の最も端にある絵素に配置される着色層の色に影響されていた。
【０００５】
例えば、図１０（ｂ）に示すように、額縁状遮光膜５０に囲まれた領域内に、図面上ｙ軸方向に沿ってストライプ状に延びる赤色着色層、緑色着色層及び青色着色層を、順にｘ軸方向に沿って配置し、表示領域１０２の最も右側に位置する着色層が青色着色層であった場合、表示領域１０２の最も右側に位置する１ラインの画素群１２０２を注目してみると、表示領域１０２の中央部に位置する画素と同じ色表示を行っても、この１ラインの画素群１２０２はその中央部に位置する画素の表示色よりも青色がかった色が生じてしまっていた。このため、図１０（ｂ）に示すように、数字などの画像を表示した場合、この画像の表示が青色がかった色の１ラインの画素群１２０２及び額縁状遮光膜５０により不鮮明となっていた。
【０００６】
本発明は上記問題点を解決するものであり、表示特性の良好なカラーフィルタ基板、カラーフィルタ基板の製造方法、電気光学装置及び電子機器を提供することにある。
【０００７】
【課題を解決するための手段】
上記課題を解決するために本発明のカラーフィルタ基板は、複数の絵素を有する第１領域と該第１領域の周縁に隣り合い周縁に沿って配置された複数の絵素を有する第２領域とを備え、前記第２領域は前記第１領域の表示に応じて特定色が表示される電気光学装置に用いられるカラーフィルタ基板であって、前記カラーフィルタ基板は、基板と、前記基板上に配置され、前記第１領域及び前記第２領域を囲む額縁状の遮光膜と、前記基板上の前記第１領域の各前記絵素に対応して１色づつ配置された複数の色の異なる第１領域用着色層と、前記基板上の前記第２領域の各前記絵素に対応して配置され、且つ各前記複数の第１着色層と同じ部材を含む複数の色の異なる第２領域用着色層とを具備することを特徴とする。
【０００８】
本発明のこのような構成によれば、このカラーフィルタ基板が組み込まれた電気光学装置は、表示画像が鮮明で表示品位が良い。すなわち、従来においては、額縁状遮光膜により囲まれた領域の中央部に位置する画素は左右両側に画素が存在する状態であるのに対し、表示領域の最も端に位置する１ラインの画素群は一方の側に画素が存在してももう一方の側には画素が存在しない状態であったため、両者は同じ色を表示しようとしても、表示領域の最も端に位置する１ラインの画素群による表示色は、この１ラインの画素群の最も端にある絵素に配置される着色層の色に影響されていた。これに対し、本発明では、実際に画像が表示される有効画像表示領域（第１領域に相当）に隣接して第２領域が配置されるので、有効画像表示領域（第１領域に相当）の第２領域に隣り合う画素は両側に絵素が存在する状態となり、更に第２領域に第１領域の表示色に応じた特定色を表示するので、画像が鮮明となり表示品位が向上する。また、本発明においては、第２領域に位置する１絵素毎に複数色の着色層を配置しているので、１絵素毎に１色の着色層を形成して複数色の絵素からなる画素を第２領域に配置する場合と比較して、額縁状遮光膜により区画された表示領域のうち実際に画像が表示される有効画像表示領域（第１領域に相当）以外の領域（第２領域に相当）を小さくすることができ、表示領域中の有効画像表示領域の占める割合を大きくとることができる。尚、本発明において、絵素とは、電気光学装置としたときの表示画面を構成する１単位である画素を特定の色に表示するために１画素を更に分割する単位である。例えば、赤色、青色及び緑色の３色の絵素により１画素が形成される。
【０００９】
また、前記第２領域は前記第１領域の表示に応じて白色または黒色に表示されることを特徴とする。
【００１０】
このように、電気光学装置にカラーフィルタ基板を組み込んだときに、特定色として白色及び黒色を表示できるようにすることができる。具体的には、例えば第１領域が白地に黒やカラーで文字などを表示する場合には第２領域は白色に表示し、それ以外の場合、すなわち第１領域が黒地またはカラー地に白などで文字などを表示する場合には、第２領域は黒色に表示することができる。このようにすれば第１領域と第２領域との境界において第１領域の文字の表示色と第２領域の表示色とが重なって文字が視認し難くなるという不具合が生じない。
【００１１】
また、前記第１領域はほぼ矩形状を有し、前記第２領域は前記第１領域の一辺に沿って配置されていることを特徴とする。
【００１２】
このように第２領域を第１領域の外周の一部に沿って配置することができる。このようなカラーフィルタ基板が組み込まれた電気光学装置においては、第２領域に隣接して第１領域に表示される画像を鮮明に表示することができる。ここで、電子機器の一例である携帯電話電話機においては、一般に、電話番号が入力され表示領域中に番号が表示される場合、画面右側から数字が出現し、番号を入力する度に数字は表示画面の右側から左側に向かって移動していくので、表示画面中、特に右辺における表示品位が重要となってくる。従って、このような電子機器に、本発明のように特定色を表示する第２領域を第１領域の右辺に沿って設けることは有効であり、４辺全てに特定色を表示する第２領域を形成する場合と比較して有効画像表示領域を大きくとることができる。
【００１３】
また、前記第１領域はほぼ矩形状を有し、前記第２領域は前記第１領域を囲うように配置されていることを特徴とする。
【００１４】
このように第２領域を第１領域の外周部に沿って配置することができる。このようなカラーフィルタ基板が組み込まれた電気光学装置においては、第２領域に隣接して第１領域に表示される画像を鮮明に表示することができる。
【００１５】
また、前記複数の第１領域用着色層は、赤色着色層、青色着色層及び緑色着色層を有し、前記第２領域の各前記絵素には、赤色着色層、青色着色層及び緑色着色層の３色の前記第２領域用着色層が配置されていることを特徴とする。
【００１６】
このように着色層として赤色、緑色及び青色の着色層を用いることができる。
【００１７】
本発明のカラーフィルタ基板の製造方法は、複数の絵素を有する第１領域と該第１領域の周縁と隣り合い該周縁に沿って配置された複数の絵素を有する第２領域とを備え、前記第２領域は前記第１領域の表示に応じて特定色が表示される電気光学装置に用いられるカラーフィルタ基板の製造方法であって、基板上に前記第１領域および前記第２領域を囲むように額縁状の遮光膜を形成する工程と、前記基板上に前記第１領域の前記絵素に対応して第１領域用の第１着色層を形成するとともに、前記第２領域の各前記絵素の一部に対応して前記第１領域用の第１着色層と同じ部材からなる第２領域用の第１着色層を形成する工程と、前記基板上に前記第１領域の前記絵素に対応して第１領域用の第２着色層を形成するとともに、前記第２領域の各前記絵素の残りの一部に対応して前記第１領域用の第２着色層と同じ部材からなる第２領域用の第２着色層を形成する工程と、を具備することを特徴とする。
【００１８】
本発明のこのような構成によれば群群群実際に画像が表示される有効画像表示領域（第１領域に相当）に隣接して第２領域が配置されるので、有効画像表示領域（第１領域に相当）の第２領域に隣り合う画素は両側に絵素が存在する状態となり、更に第２領域に第１領域の表示色に応じた特定色を表示するので、画像が鮮明となり表示品位が向上する。また、本発明においては、第２領域に位置する１絵素毎に複数色の着色層を配置しているので、１絵素毎に１色の着色層を形成して複数色の絵素からなる画素を第２領域に配置する場合と比較して、額縁状遮光膜により区画された表示領域のうち実際に画像が表示される有効画像表示領域（第１領域に相当）以外の領域（第２領域に相当）を小さくすることができ、表示領域中の有効画像表示領域の占める割合を大きくとることができる。また、本製造方法によれば、第２領域に設けられる着色層を第１領域に設けられる着色層の形成工程と同一の工程で行うので、製造工程数を増やす必要がない。
【００１９】
また、前記基板上に前記第１領域の前記絵素に対応して第１領域用の第３着色層を形成するとともに、前記第２領域の各前記絵素の残りの一部に対応して前記第１領域用の第３着色層と同じ部材からなる第２領域用の第３着色層を形成する工程を更に備えることを特徴とする。
【００２０】
このように、３色の着色層を用いることができる。
【００２１】
また、前記第１領域はほぼ矩形状を有し、前記第２領域は前記第１領域の一辺に沿って配置されていることを特徴とする。
【００２２】
このように第２領域を第１領域の外周部に沿って配置することができる。このような製造方法によって製造されたカラーフィルタ基板が組み込まれた電気光学装置においては、第２領域に隣接して第１領域に表示される画像を鮮明に表示することができる。
【００２３】
本発明の電気光学装置は、上述に記載のカラーフィルタ基板を備えたことを特徴とする。
【００２４】
本発明のこのような構成によれば、画像が鮮明な表示品位の高い電気光学装置を得ることができる。
【００２５】
本発明の電子機器は、上述に記載の電気光学装置を備えたことを特徴とする。
【００２６】
本発明のこのような構成によれば、表示品位の高い表示画面をもった電子機器を得ることができる。
【発明の実施の形態】
以下に、本発明に係る電子機器の一例として携帯電話機を例にあげて説明する。
【００２７】
図２２は、本発明に係る電子機器の一実施形態である携帯電話機３１１を示している。ここに示す携帯電話機３１１は、複数の操作ボタン３１１ａの他、受話口３１１ｂ、送話口３１１ｃを有する外枠に、本発明に係る電気光学装置の一例としての液晶装置１（１０１）が組み込まれてなる。
【００２８】
次に、この液晶装置１（１０１）について説明する。
【００２９】
（第１実施形態）
以下に第１実施形態に係る電気光学装置としての液晶装置、これに組み込まれる電気光学パネルとしての液晶表示パネル、更にこれに組み込まれるカラーフィルタ基板の構造及びカラーフィルタ基板の製造方法について説明する。
【００３０】
まず、液晶装置、液晶表示パネル及びカラーフィルタ基板の構造について図１〜図６を用いて説明する。図１は、液晶装置１の等価回路図である。図２は、液晶装置１の断面図である。図３は、液晶装置１に設けられるＴＦＤ、データ線及び画素電極の構造を説明する図であり、図３（ａ）は平面図、図３（ｂ）は図３（ａ）の線Ａ−Ａ’における断面図、図３（ｃ）は概略斜視図である。図４は、カラーフィルタ電極基板の着色層の配置を説明するための概略平面図である。図５は、着色層、画素電極及び走査線の位置関係を示す液晶装置１の概略平面図である。図６は着色層、画素電極、データ線及び走査線の位置関係を示す液晶装置１の概略部分分解斜視図である。尚、本実施形態において、図示及び説明をわかりやすくするために、各種配線や電極、着色層の数を実際の構造よりも少なくしており、また図面間においても適宜それらの数を異ならせている。
【００３１】
本実施形態においては、液晶装置として、ＴＦＤ素子を用いたアクティブマトリクス型の透過型液晶装置に適用した場合を例にあげて説明する。尚、図面においては、各構成をわかりやすくするために、実際の構造と各構成における縮尺や数などが異なっている。
【００３２】
図２に示すように、液晶装置１は、液晶表示パネル２と、液晶表示パネル２を挟むように設けられた第１の偏光板１８ａ及び第２の偏光板１８ｂと、液晶表示パネル２に隣接して配置されたバックライト１０と、カラーフィルタ電極基板２０の対向基板２６より張り出した張り出し部に実装された駆動用ＩＣ４ａ及び４ｂ（図示せず）と、この駆動用ＩＣ４ａ及び４ｂとＡＣＦ（異方性導電フィルム）を介して電気的に接続する配線基板とを有している。
【００３３】
液晶表示パネル２は、カラーフィルタ電極基板２０と、これに対向する対向基板２６と、これら一対の基板２０及び２６を貼り合わせる基板周縁部に設けられたシール材３と、一対の基板２０及び２６とシール材３とにより形成された空間内に挟持された電気光学物質としての９０度捩れのＴＮ液晶１１０とを有している。一対の基板２０及び２６の間隙はスペーサ１１１によって保持されている。
【００３４】
バックライト１０は、カラーフィルタ電極基板２０に隣接して配置され、光源（図示せず）と、光源から光が入射される導光板８と、拡散シート３０、プリズムシート３１及び３２、反射シート５とを有している。拡散シート３０は、液晶表示パネル２の表示画面内の光の輝度をより均一化させるためのものである。２枚のプリズムシート３１及び３２は、出射光の配向角を調整し、正面の輝度を向上させるためのものである。導光板８は、導光板８に対応して配置された液晶表示パネル２に対し、光源部から出射された光を液晶表示パネル２の面内に均一に照射するためのものであり、アクリル樹脂やポリカーボネートなどから形成される。
【００３５】
図１に示すように、液晶装置１は、複数の第１データ線２１及び１本の第２データ線１２１が列方向（ｙ方向）に形成され、複数の走査線２４が行方向（ｘ方向）に形成されている。第２データ線１２１は、複数の第１データ線２１群に隣り合って、第１データ線２１とほぼ平行に１本配置されている。
【００３６】
図１及び図２に示すように、走査線２４は、ＩＴＯ（Ｉｎｄｉｕｍ　Ｔｉｎ　Ｏｘｉｄｅ）膜からなり、カラーフィルタ電極基板２０の対向基板２６と対向する面上にストライプ状に形成されている。走査線２４には走査線駆動回路としての駆動用ＩＣ４ｂから走査信号が供給される。一方、第１データ線２１及び第２データ線１２１は、ＩＴＯ膜からなり、対向基板２６のカラーフィルタ電極基板２０と対向する面上に、走査線２４と直交してストライプ状に形成されている。更に、対向基板２６上には、第１データ線２１に電気的に接続する複数のスイッチング素子としての第１ＴＦＤ素子２８と、各第１ＴＦＤ素子２８に電気的に接続した第１画素電極２５（後述する）と、第２データ線１２１に電気的に接続する複数のスイッチング素子としての第２ＴＦＤ素子１２８と、各ＴＦＤ素子１２８に電気的に接続した第２画素電極１２５（後述する）とが形成されている。第１データ線２１及び第２データ線１２１にはデータ線駆動回路としての駆動用ＩＣ４ａから画像信号が供給される。
【００３７】
図２に示すように、液晶表示パネル２を構成するカラーフィルタ電極基板２０は、第１基板９ｂと、第１基板９ｂ上に額縁状に配置された額縁状遮光膜５０及びこの額縁状遮光膜５０と同層からなる各絵素を区画する格子状遮光膜５２と、格子状遮光膜５２の隙間を埋めるように配置された第１領域用着色層１６０及び第２領域用着色層６０と、着色層及び遮光膜を覆うように配置されたオーバーコート層１３と、オーバーコート層１３上に配置された走査線２４と、走査線２４及びオーバーコート層１３を覆うように配置されたポリイミドなどからなる配向膜１６ｂとを有している。走査線２４はストライプ状に形成された着色層１６０とほぼ直交するように配置されている。尚、着色層の配置関係などの詳細については後述する。
【００３８】
一方、図１及び図２に示すように、液晶表示パネル２を構成する対向基板２６は、第２基板９ａと、第２基板９ａ上に配置された走査線２４とほぼ直交するように配置された第１データ線２１及び第２データ線１２１と、第１データ線２１に電気的に接続する複数のスイッチング素子としてのＴＦＤ素子２８及び第２データ線１２１に電気的に接続するスイッチング素子としての第２ＴＦＤ素子１２８と、各第１ＴＦＤ素子２８に電気的に接続した第１画素電極２５及び各第２ＴＦＤ素子１２８と電気的に接続した第２画素電極１２５と、これら第１データ線２１、第２データ線１２１、第１ＴＦＤ素子２８、第２ＴＦＤ素子１２８、第１画素電極２５及び第２画素電極１２５を覆うように配置されたポリイミドなどからなる配向膜１６ａとを有している。更に、対向基板２６の張り出し部（図示せず）には、第１データ線２１及び第２データ線１２１が延在した配線とＡＣＦを介して電気的に接続する駆動用ＩＣ４ａ及び走査線２４と電気的に接続する駆動用ＩＣ４ｂとが実装され、駆動用ＩＣと配線基板とを電気的に接続するための接続端子部２２が配置されている。また、上述の第１データ線２１と第２データ線１２１、第１画素電極２５と第２画素電極１２５、第１ＴＦＤ素子２８と第２ＴＦＤ素子１２８とはそれぞれ同じ構造を有している。
【００３９】
ここで、ＴＦＤ、データ線及び画素電極の構造について図３を用いて説明する。
【００４０】
図３は、基板９ａ上に配置されるＴＦＤ、データ線及び画素電極の構造を説明する図である。
【００４１】
ＴＦＤ素子２８（１２８）は、図３（ａ）、（ｂ）、（ｃ）に示すように、基板９ａの表面に成膜された下地層上に形成されたＴＦＤ素子２８ａ及びＴＦＤ素子２８ｂからなる２つのＴＦＤ素子２８（１２８）によって、いわゆるＢａｃｋ−ｔｏ−Ｂａｃｋ構造として構成されている。このため、ＴＦＤ素子２８（１２８）は、電流−電圧の非線形特性が正負双方向にわたって対称化されている。下地層は、例えば厚さ５０〜２００ｎｍ程度の酸化タンタル（Ｔａ２Ｏ５）によって構成されている。
【００４２】
ＴＦＤ素子２８ａ及びＴＦＤ素子２８ｂは、第１金属層３２と、この第１金属層３２の表面に形成された絶縁膜３３と、絶縁膜３３の表面に互いに離間して形成された第２金属層３４ａ、３４ｂとによって構成されている。第１金属層３２は、例えば、厚さ１００〜５００ｎｍ、ここでは２００ｎｍ程度のＴａ単体膜、Ｔａ合金膜、ここではタンタルタングステン（ＴａＷ）などによって形成される。絶縁膜３３は、例えば、陽極酸化法によって第１金属層３２の表面を酸化することによって形成された厚さが１０〜３５ｎｍの酸化タンタル（Ｔａ２Ｏ５）である。第２金属層３４ａ、３４ｂは、例えばクロム（Ｃｒ）などといった金属膜によって５０〜３００ｎｍ程度の厚さに形成されている。第２金属層３４ａは、そのままデータ線２４の第３層４１ｃとなり、他方の第２金属層３４ｂは、ＩＴＯ（Ｉｎｄｉｕｍ　Ｔｉｎ　Ｏｘｉｄｅ）などといった透明導電材からなる画素電極２５（１２５）に接続されている。データ線２１は、第１金属層３２と同時に形成された第１層４１ａと、絶縁膜３３と同一工程で形成された第２層４１ｂと、第３層４１ｃとが積層した構造となっている。
【００４３】
液晶装置１では、対向する走査線２４と、画素電極２５及び１２５、これらに挟持される液晶１１０とにより絵素が形成される。そして、各絵素に印加する電圧を選択的に変化させることによって液晶１１０の光学特性を変化させ、バックライト１０から照射される光は各画素のこの液晶１１０を透過することによって変調される。
【００４４】
図２及び図４に示すように、液晶装置１はほぼ矩形状の第１領域２０１とこの矩形状の第１領域の周縁の一部である１辺に沿って第１領域と隣り合って配置された第２領域２０２とを有している。カラーフィルタ電極基板２０において、額縁状遮光膜５０は第１領域２０１及び第２領域２０２を囲むように形成されており、額縁状遮光膜５０により囲まれた領域は液晶装置１としたときの実際に表示が行われる表示領域１０２に相当する。尚、図４においては、格子状の遮光膜５２は、着色層により隠れてしまうため図示を省略している。図４に示すように、第１領域２０１には、ｙ軸方向に沿ってストライプ状に延びる３色の第１領域用赤色着色層１６０Ｒ、第１領域用緑色着色層１６０Ｇ及び第１領域用青色着色層１６０Ｂがｘ軸方向に沿って形成されている。第２領域２０２には、各第１領域用着色層１６０とほぼ同じ幅（図面上、ｘ軸に沿った幅）でｙ軸方向に沿って、第２領域用赤色着色層６０Ｒ、第２領域用緑色着色層６０Ｇ及び第２領域用青色着色層６０Ｂが順に繰り返し配置されている。
【００４５】
図５及び図６に示すように、第１領域２０１には、第１画素電極２５が配置されており、ｙ軸方向に沿って配置された１ラインの第１画素電極２５毎に第１領域用着色層１６０が配置され、第１領域２０１では１つの絵素に対して１色の第１領域用着色層１６０が対応する状態となっている。一方、第２領域２０２には、第２画素電極１２５がｙ軸方向に沿って１ラインに配置されており、第２領域２０２では１つの絵素に対して３色の第２領域用着色層６０Ｒ、６０Ｇ、６０Ｂが対応する状態となっている。走査線２４は、ｘ軸方向に沿って１ラインに並ぶ第１画素電極２５及び第２画素電極１２５に対応して配置されている。また、図６に示すように、第１データ線２１及び第２データ線１２１は走査線２４とほぼ直交するように配置され、第１データ線２１は第１画素電極２５に図示を省略しているＴＦＤ素子を介して電気的に接続され、第２データ線１２１は第２画素電極１２５に図示を省略しているＴＦＤ素子を介して電気的に接続されている。液晶装置１の第１領域２０１においては、第１領域用赤色着色層１６０Ｒ、第１領域用緑色着色層１６０Ｇ及び第１領域用青色着色層１６０Ｂがそれぞれ配置された３つの絵素により１つの画素を形成し、各絵素毎に印加する電圧を選択的に変化させることによって、画素に所望の色表示を行うことができる。また、第２領域２０２においては、第２領域２０２に配置される各絵素には同じ電圧が印加され、本実施形態においては第２領域２０２における１ラインは、特定色として白色または黒色に表示され、これらの色は第１領域２０１の表示に応じて選択される。具体的には、例えば第１領域２０１が白地に黒やカラーで文字などを表示する場合には第２領域２０２は白色に表示される。一方、それ以外の場合、すなわち第１領域が黒地またはカラー地に白などで文字などを表示する場合には、第２領域２０２は黒色に表示される。
【００４６】
次に、上述の液晶装置１の駆動方法について図７〜図９を用いて説明する。
【００４７】
図７は、液晶装置１の構成を示すブロック図である。この図において、符号２は液晶表示パネル、４ｂは液晶表示パネル２の走査線を駆動する走査線駆動回路、４ａは液晶表示パネル２のデータ線を駆動するデータ線駆動回路である。４−１、４−２・・・・４−ｎはアナログスイッチであり、各アナログスイッチ４−１〜４−ｎのソースは表示信号ライン１０５に接続され、ドレインは液晶表示パネル２のデータ線に接続され、ゲートはデータ線駆動回路４ａに接続されている。
【００４８】
１０７はタイミングパルスの発生回路であり、システムクロックパルスに基づいて走査線駆動信号及びデータ線駆動信号を形成し、走査線駆動回路４ｂ及びデータ線駆動回路４ａへ各々出力する。
【００４９】
このような構成において、走査線駆動回路４ｂが、まず第１走査線（最上位の走査線）へＨ（ハイ）レベルの信号を出力する。次いで、データ線駆動回路４ａがアナログスイッチ４−１、４−２・・・を順次オンとする。これにより、表示信号ライン１０５の表示信号（アナログ信号）が液晶表示パネル２の第１行目の各絵素に順次書き込まれる。次に、走査線駆動回路４ｂが液晶表示パネル２の第２走査線へＨ（ハイ）レベルの信号を出力し、次いで、データ線駆動回路４ａがアナログスイッチ４−１、４−２・・・を順次オンとする。これにより、表示信号ライン１０５の表示信号が液晶表示パネル２の第２行目の各絵素に順次書き込まれる。以下、同様の手順で液晶表示パネル２の各絵素に順次表示信号が書き込まれ、これにより画像表示が行われる。尚、上述の構成は従来から周知の構成である。
【００５０】
次に、図７において、符号１０は外部から供給され表示信号（アナログ信号）が印加される端子、１１は上述の第２領域の表示色を白色または黒色に制御する表示制御回路である。この表示制御回路１１は液晶表示パネル２の表示領域の１辺部に位置する第２領域に白色または黒色を表示するための回路であり、マスク信号発生回路１１２と、アナログスイッチ１１３、１１４と、インバータ１１５と、マスク制御回路１１６とから構成されている。
【００５１】
マスク信号発生回路１１２は、白色または黒色を表示するためのアナログ電圧（マスク信号）を常時出力する。第２領域の表示の色を白色または黒色とするかは、上述のように第１領域２０１に表示される色、例えば第１領域２０１における表示の地の色によって選択され、この地が表示される絵素に印加される電圧の値によって決定することができる。マスク制御回路１１６は、常時アナログスイッチ１１４をオン、１１３をオフとする制御信号ＭＳを出力する。これにより、端子１０の表示信号ＶＳがアナログスイッチ１１４を介して表示信号ライン１０５は供給され、これにより、液晶表示パネル２の画像表示が行われる。また、このマスク制御回路１１６は、タイミング供給手段であるタイミングパルス発生回路１０７から供給されるデータ線駆動信号に基づいて、液晶表示パネル２の第２領域の各絵素の駆動タイミングを検出し、該タイミングにおいてアナログスイッチ１１４をオフ、アナログスイッチ１１３をオンとする制御信号ＭＳを出力する。
【００５２】
すなわち、いま、図８における（イ）を垂直同期信号、（ロ）を走査線駆動タイミングとする。なお、図８（ロ）における数字１，２、・・・は走査線の番号を示している。走査線を駆動するタイミングにおいては、マスク制御回路１１６からは制御信号ＭＳは出力されない。また、図９における（イ）を水平同期信号、（ロ）をデータ線駆動タイミングとすると、マスク制御回路１１６は液晶表示パネル２の表示領域における右端から１本目のデータ線（第２データ線）を駆動するタイミングにおいて、同図（ハ）に示す制御信号ＭＳを出力する。これにより、そのデータ線に接続されている絵素へ表示信号ＶＳに代えてマスク信号が印加され、第２領域における各絵素は白色または黒色で表示される。
【００５３】
以上のように、本実施形態においては、第１領域における表示に応じて表示領域の周辺部の一部（第２領域）の表示色を調整しているので、この第２領域に隣り合った位置に文字などを画像表示した場合、その文字が不鮮明となることなく、鮮明に表示を行うことができ、表示特性が向上する。
【００５４】
以下に、図１０及び図１１を用いて本実施形態における効果について説明する。
図１０（ａ）は本実施形態における液晶装置の表示画像であり、図１０（ｂ）は従来における液晶装置の表示画像であり、共に表示画面が白地である場合を例にあげている。図１０において、額縁状遮光膜５０に囲まれた領域内には、図示を省略しているが、図面上ｙ軸方向に沿ってストライプ状に延びる赤色着色層、緑色着色層及び青色着色層が順にｘ軸方向に沿って左から右に向かって配置され、図１０（ａ）においては図４に示すように表示領域１０２の最も右端に位置する絵素群からなる１ライン（第２領域２０２に相当）は絵素毎に３色の第２領域用着色層６０が配置される。一方、図１０（ｂ）においては表示領域１０２の最も右端に位置する絵素群からなる１ラインにはストライプ状の青色着色層が配置され、符号１２０２は表示領域１０２の右端の３行の絵素群からなる１ラインの画素群を示している。例えば、表示領域１０２の右辺に接して数字が表示される場合、従来においては、図１０（ｂ）に示すように、１ラインの画素群１２０２は、本来表示したい色よりも青色がかった色が生じてしまうため、数字の表示が不鮮明となっていた。これに対し、本実施形態においては、表示領域１０２の最も右端の１ライン（第２領域２０２）が特定色、ここでは白色に表示されるので、数字の表示が鮮明となって表示品位が向上する。また、本実施形態においては、特定色を表示する第２領域を１行の絵素群からなる１ラインで形成しているので、第２領域を第１領域のように３行の絵素群からなる１ラインの画素群により形成する場合と比較して、表示領域１０２の実際に画像が表示される領域（第１領域に相当）以外の領域（第２領域に相当）を小さくすることができ、表示領域の有効画像表示領域を大きくとることができる。更に、例えば携帯電話機においては、電話番号を入力し表示領域１０２中に番号が表示される場合、画面右側から数字が出現し、番号を入力する度に数字は図示する矢印の方向に沿って、右側から左側に向かって移動していくので、表示領域中、特に右辺における表示品位が重要となってくる。従って、本実施形態のように右辺に特定色を表示する１ラインを形成することは有効であり、４辺全てに特定色を表示する１ラインを形成する場合と比較して有効画像表示領域を大きくとることができる。
【００５５】
図１１（ａ）は本実施形態における液晶装置の表示画像であり、図１１（ｂ）は従来における液晶装置の表示画像であり、共に表示画面が黒地である場合を例にあげている。図１１において、額縁状遮光膜５０に囲まれた領域内には、図示を省略しているが、図面上ｙ軸方向に沿ってストライプ状に延びる赤色着色層、緑色着色層及び青色着色層が順にｘ軸方向に沿って配置され、図１１（ａ）においては図４に示すように表示領域１０２の最も右端に位置する絵素群からなる１ライン（第２領域２０２に相当）は絵素毎に３色の第２領域用着色層６０が配置される。一方、図１１（ｂ）においては表示領域１０２の最も右端に位置する絵素群からなる１ラインにはストライプ状の青色着色層が配置され、符号１２０２は表示領域１０２の右端の３ラインの絵素群からなる１ラインの画素群を示している。例えば、表示領域１０２の右辺に接して数字が表示される場合、従来においては、図１１（ｂ）に示すように、１ラインの画素群１２０２は、本来表示したい色よりも青色がかった色が生じてしまうため、数字の表示が不鮮明となっていた。これに対し、本実施形態においては、表示領域１０２の最も右端の１ライン（第２領域２０２）が特定色、ここでは黒色に表示されるので、数字の表示が鮮明となって表示品位が向上する。また、本実施形態においては、特定色を表示する第２領域を１行の絵素群からなる１ラインで形成しているので、第２領域を第１領域のように３行の絵素群からなる１ラインの画素群により形成する場合と比較して、表示領域１０２の実際に画像が表示される領域（第１領域に相当）以外の領域（第２領域に相当）を小さくすることができ、表示領域の有効画像表示領域を大きくとることができる。更に、例えば携帯電話機においては、電話番号が入力され表示領域１０２中に番号が表示される場合、画面右側から数字が出現し、番号が入力される度に数字は図示する矢印の方向に沿って、右側から左側に向かって移動していくので、表示領域中、特に右辺における表示品位が重要となってくる。従って、本実施形態のように右辺に特定色を表示する１ラインを形成することは有効であり、４辺全てに特定色を表示する１ラインを形成する場合と比較して有効画像表示領域を大きくとることができる。なお、図１１においては、符号の引出線を図面をわかりやすくするために、黒色に表示される領域のみ白色で表示している。
【００５６】
次に、上述のカラーフィルタ電極基板２０の製造方法を図１２を用いて説明する。図１２は、カラーフィルタ電極基板２０製造時の各工程における断面図及び平面図であり、断面図は図１２（ａ）に示す平面図の線Ｂ−Ｂ´に沿って切断した部分断面図に相当する。図１２（ｂ）〜（ｄ）においては、格子状の遮光膜５２の図示を省略している。
【００５７】
図１２（ａ）に示すように、第１基板９ｂ上に、例えばスパッタによりクロムを堆積した後、パターニングして額縁状の遮光膜５０及び格子状の遮光膜５２を形成する。本実施形態においては、絵素は格子状の遮光膜５２により区画される。
【００５８】
次に、額縁状遮光膜５０及び格子状遮光膜５２を含む第１基板９ｂ上全面に、赤色着色材料を塗布する。その後、フォトリソグラフィ法を用いてパターニングし、図１２（ｂ）に示すように、第１領域２０１にストライプ状の第１領域用の第１着色層としての第１領域用赤色着色層１６０Ｒ及び第２領域２０２に対応する絵素の約１／３の面積に第２領域用の第１着色層として第２領域用赤色着色層６０Ｒを形成する。
【００５９】
次に、額縁状遮光膜５０、格子状遮光膜５２、第１領域用赤色着色層１６０Ｒ及び第２領域用赤色着色層６０Ｒを含む第１基板９ｂ上全面に、緑色着色材料を塗布する。その後、フォトリソグラフィ法を用いてパターニングし、図１２（ｃ）に示すように、第１領域２０１にストライプ状の第１領域用の第２着色層としての第１領域用緑色着色層１６０Ｇ及び第２領域２０２に対応する絵素の約１／３の面積に第２領域用の第２着色層として第２領域用緑色着色層６０Ｇを形成する。
【００６０】
次に、額縁状遮光膜５０、格子状遮光膜５２、第１領域用赤色着色層１６０Ｒ、第２領域用赤色着色層６０Ｒ、第１領域用緑色着色層１６０Ｇ及び第２領域用緑色着色層６０Ｇを含む第１基板９ｂ上全面に、青色着色材料を塗布する。その後、フォトリソグラフィ法を用いてパターニングし、図１２（ｄ）に示すように、第１領域２０１にストライプ状の第１領域用の第３着色層として第１領域用青色着色層１６０Ｂ及び第２領域２０２に対応する絵素の約１／３の面積に第２領域用の第３着色層として第２領域用青色着色層６０Ｂを形成する。これにより基板上に着色層が形成されたカラーフィルタ基板２０´を得る。
【００６１】
その後、カラーフィルタ基板２０´上に例えばアクリル樹脂などからなるオーバーコート層をスピンコート法による形成する。次に、ＩＴＯ（ＩｎｄｉｕｍｕＴｉｎ　Ｏｘｉｄｅ）膜をスパッタ法によりオーバーコート層上に成膜し、この膜をパターニングしてオーバーコート層上にストライプ状の走査線を形成する。その後、走査線を含むオーバーコート層上にポリイミドなどからなる配向膜を形成し、カラーフィルタ電極基板２０を得る。
【００６２】
本実施形態における製造方法では、第２領域に形成する着色層を第１領域に形成する着色層と同一工程で形成するので、従来の製造工程数と変わりない。
【００６３】
尚、遮光膜として、上述ではＣｒ（クロム）の金属膜を例にあげたが、黒色顔料が分散された樹脂などを用いることもできる。また、着色層としては顔料が分散された樹脂などを用いることができる。
【００６４】
（第２実施形態）
以下に第２実施形態に係る電気光学装置としての液晶装置、これに組み込まれる電気光学パネルとしての液晶表示パネル、更にこれに組み込まれるカラーフィルタ基板の構造及びカラーフィルタ基板の製造方法について説明する。第１実施形態におけるカラーフィルタ基板では、ほぼ矩形状の表示領域の一辺に沿って特定色が表示される第２領域が設けられていたが、本実施形態におけるカラーフィルタ基板では、表示領域の外周部に特定色が表示される第２領域が設けられている。尚、第１実施形態と同じ構造については同じ符号を付している。上記相違点以外の構成については、第１実施形態と同じであるため、説明を省略する。以下、図１３〜図１６を用いて本実施形態について説明する。
【００６５】
図１３は液晶装置１０１の等価回路図である。図１４は、液晶装置１０１の断面図である。図１５は、液晶装置１０１に設けられるカラーフィルタ基板の着色層の配置を説明するための概略平面図である。図１６は、カラーフィルタ基板上の着色層、画素電極及び走査線の位置関係を示す概略平面図である。液晶装置１０１は、図１４に示すように、カラーフィルタ基板１２０と対向基板２６とを有する。
【００６６】
図１３に示すように、本実施形態における液晶装置１０１では、複数の第１データ線２１及びこの第１データ線２１を挟んで両側に１本づつ配置された第２データ線１２１が列方向（ｙ方向）に形成されている。また、複数の第１走査線２４及びこの第１走査線２４を挟んで両側に１本づつ配置された第２走査線１２４が行方向（ｘ方向）に形成されている。第２データ線１２１及び第２走査線１２４に対応して位置する画素電極には、第２ＴＦＤ素子１２８が電気的に接続される。また、この第２ＴＦＤ素子１２８に電気的に接続しない画素電極には、第１ＴＦＤ素子２８が電気的に接続される。
【００６７】
図１４及び図１５に示すように、液晶装置１０１はほぼ矩形状の第１領域１２０１とこの矩形状の第１領域１２０１の外周を囲うように第１領域１２０１と隣り合って配置された第２領域１２０２とを有している。カラーフィルタ電極基板１２０において、額縁状遮光膜５０は第１領域１２０１及び第２領域１２０２を囲むように形成されており、額縁状遮光膜５０により囲まれた領域は液晶装置１０１としたときに実際に表示が行われる表示領域１０２に相当する。尚、図１５においては、格子状の遮光膜５２は、着色層により隠れてしまうため図示を省略している。第１領域１２０１には、ｙ軸方向に沿ってストライプ状に延びる３色の第１領域用赤色着色層１６０Ｒ、第１領域用緑色着色層１６０Ｇ及び第１領域用青色着色層１６０Ｂが形成されている。第２領域１２０２には、ｙ軸方向に沿って、第２領域用赤色着色層６０Ｒ、第２領域用緑色着色層６０Ｇ及び第２領域用青色着色層６０Ｂが順に配置されており、図面上、表示領域１０２のｘ軸に沿った辺に位置する第２領域１２０２部分では、ｙ軸方向に沿って第２領域用赤色着色層６０Ｒ、第２領域用緑色着色層６０Ｇ及び第２領域用青色着色層６０Ｂが順に３色配置され、表示領域１０２のｙ軸に沿った辺に位置する第２領域１２０２部分では、ｙ軸方向に沿って第２領域用赤色着色層６０Ｒ、第２領域用緑色着色層６０Ｇ及び第２領域用青色着色層６０Ｂが順に繰り返し配置された状態となっている。
【００６８】
図１４及び図１６に示すように、第１領域１２０１には、第１画素電極２５が配置されており、ｙ軸方向に沿って配置された１ラインの第１画素電極２５毎に第１領域用着色層１６０が配置され、第１領域２０１では１つの絵素に対して１色の第１領域用着色層１６０が対応した状態となっている。一方、第２領域１２０２には、第１領域１２０１を囲むように、第２画素電極１２５がｙ軸方向及びｘ軸方向に沿って１ライン配置されており、第２領域２０２では１つの絵素に対して３色の第２領域用着色層６１Ｒ、６１Ｇ、６１Ｂが対応した状態となっている。第１走査線２４は、ｘ軸方向に沿って１ラインに並ぶ第１画素電極２５及び第２画素電極１２５に対応して配置されている。また、第２走査線１２４は、複数の第１走査線２４を挟むように両側に１本づつ配置され、ｘ軸方向に沿って１ラインに並ぶ第２画素電極１２５に対応して配置されている。また、図示を省略しているが、第１データ線及び第２データ線は走査線２４及び１２４とほぼ直交して、第１画素電極２５及び第２画素電極１２５に対応して配置される。液晶装置１０１の第１領域１２０１においては、第１領域用赤色着色層１６０Ｒ、第１領域用緑色着色層１６０Ｇ及び第１領域用青色着色層１６０Ｂがそれぞれ配置された３つの絵素により１つの画素を形成し、各絵素毎に印加する電圧を選択的に変化させることによって、画素に所望の色表示を行うことができる。また、第２領域１２０２においては、第２領域１２０２に配置される各絵素には同じ電圧が印加され、本実施形態においては第２領域１２０２は、特定色として白色または黒色に表示され、これらの色は第１領域１２０１の表示に応じて選択される。具体的には、例えば第１領域１２０１が白地に黒やカラーで文字などを表示する場合には第２領域１２０２は白色に表示される。一方、それ以外の場合、例えば第１領域が黒地またはカラー地に白で文字などを表示する場合には、第２領域１２０２は黒色に表示される。
【００６９】
次に、上述の液晶装置１０１の駆動方法について図７、図１７及び図１８を用いて説明する。
【００７０】
図７の説明については、第１実施形態と同様であるため、説明を省略する。
【００７１】
すなわち、いま、図１７における（イ）を垂直同期信号、（ロ）を走査線駆動タイミングとする。なお、図１７（ロ）における数字１，２、・・・は走査線の番号を示している。マスク制御回路１１１６は、液晶表示パネル２の最上部の１本の走査線（第２走査線１２４）を駆動するタイミング及び最下部の１本の走査線（第２走査線１２４）を駆動するタイミングにおいて同図（ハ）に示す制御信号ＭＳを出力する。これにより、その走査線（第２走査線１２４）に接続される画素へ表示信号ＶＳに代えてマスク信号が印加され、各絵素が白色または黒色で表示される。また、図１８における（イ）を水平同期信号、（ロ）をデータ線駆動タイミングとすると、マスク制御回路１１１６は液晶表示パネル２の表示領域における左端から１本目のデータ線（第２データ線１２１）及び右端から１本目のデータ線（第２データ線１２１）を駆動するタイミングにおいて、同図（ハ）に示す制御信号ＭＳを出力する。これにより、そのデータ線（第２データ線１２１）に接続されている絵素へ表示信号ＶＳに代えてマスク信号が印加され、そのデータ線（第２データ線１２１）に接続される絵素は白色または黒色で表示される。以上により、第２領域における各絵素は白色または黒色で表示される。
【００７２】
以上のように、本実施形態においては、第１領域における表示に応じて、表示領域の周辺部（第２領域）の表示色を調整しているので、この第２領域に隣り合った位置に文字などを画像表示した場合、その文字が不鮮明となることなく、鮮明に表示を行うことができ、表示特性が向上する。
【００７３】
以下に、図１９を用いて本実施形態における効果について説明する。図１９（ａ）は本実施形態における液晶装置の表示画像であり、図１９（ｂ）は従来における液晶装置の表示画像であり、共に表示画面が白地である場合を例にあげている。図１９において、額縁状遮光膜５０に囲まれた領域内には、図示を省略しているが、図面上ｙ軸方向に沿ってストライプ状に延びる赤色着色層、緑色着色層及び青色着色層が順にｘ軸方向に沿って左から右に向かって配置され、図１９（ａ）においては図１６に示すように表示領域１０２の周辺の１ライン（第２領域１２０２に相当）は絵素毎に３色の第２領域用着色層６１が配置される。一方、図１９（ｂ）においては表示領域１０２の最も右端に位置する絵素群からなる１ラインにはストライプ状の青色着色層、左端に位置する絵素群からなる１ラインにはストライプ状の赤色着色層が配置され、符号２２０２は表示領域１０２の左右両側に配置される３行の絵素群からなる１ラインの画素群と、表示領域１０２の上下両側に配置される１列の赤色着色層、緑色着色層及び青色着色層からなる画素群とを示している。例えば、表示領域１０２中に数字が表示される場合、従来においては、図１９（ｂ）に示すように、表示領域１０２の周辺部に相当する領域１２０２では、表示領域１０２の右辺に沿った部分において本来表示したい色よりも青色がかった色が生じ、表示領域１０２の左辺に沿った部分において本来表示したい色よりも赤色がかった色が生じ、表示領域１０２の上辺及び下辺に沿った部分では額縁状遮光膜５０と画素がくっついたような状態となるため、表示領域１０２の外周部に沿って表示される数字の表示が不鮮明となっていた。これに対し、本実施形態においては、表示領域１０２の外周部（第２領域１２０２）が特定色、ここでは白色に表示されるので、数字の表示が鮮明となって表示品位が向上する。また、本実施形態においては、特定色を表示する第２領域のうち、ｙ方向に沿って延びる部分は、１行の絵素群からなる１ラインで形成しているので、第２領域を第１領域のように３行の絵素群、すなわち１行の画素群により形成する場合と比較して、表示領域１０２の実際に画像が表示される領域（第１領域に相当）以外の領域（第２領域に相当）を小さくすることができ、表示領域の有効画像表示領域を大きくとることができる。また、特定色を表示する第２領域のうち、ｘ方向に沿って延びる部分は、１列の絵素群からなる１ラインで形成しているので、表示領域１０２の実際に画像が表示される領域（第１領域に相当）以外の領域（第２領域に相当）を小さくすることができ、表示領域の有効画像表示領域を大きくとることができる。
【００７４】
また、表示画面が黒地である場合においても同様に、第２領域を黒表示させることにより、数字や文字などの画像が鮮明に表示することができる。
【００７５】
次に、上述のカラーフィルタ電極基板１２０の製造方法について図２０及び図２１を用いて説明する。図２０及び図２１は、カラーフィルタ電極基板２０製造時の各工程における断面図及び平面図であり、断面図は図２０（ａ）に示す平面図の線Ｃ−Ｃ´に沿って切断した部分断面図に相当する。図２０（ｂ）、図２１（ａ）（ｂ）においては、格子状の遮光膜５２の図示を省略している。
【００７６】
図２０（ａ）に示すように、第１基板９ｂ上に、例えばスパッタによりクロムを堆積した後、パターニングして額縁状の遮光膜５０及び格子状の遮光膜５２を形成する。本実施形態においては、絵素は格子状の遮光膜５２により区画される。
【００７７】
次に、額縁状遮光膜５０及び格子状遮光膜５２を含む第１基板９ｂ上全面に、赤色着色材料を塗布する。その後、フォトリソグラフィ法を用いてパターニングし、図２０（ｂ）に示すように、第１領域１２０１にストライプ状の第１領域用の第１着色層としての第１領域用赤色着色層１６０Ｒ及び第２領域２０２に対応する絵素の約１／３の面積に第２領域用の第１着色層として第２領域用赤色着色層６１Ｒを形成する。
【００７８】
次に、額縁状遮光膜５０、格子状遮光膜５２、第１領域用赤色着色層１６０Ｒ及び第２領域用赤色着色層６１Ｒを含む第１基板９ｂ上全面に、緑色着色材料を塗布する。その後、フォトリソグラフィ法を用いてパターニングし、図２１（ａ）に示すように、第１領域１２０１にストライプ状の第１領域用の第２着色層としての第１領域用緑色着色層１６０Ｇ及び第２領域１２０２に対応する絵素の約１／３の面積に第２領域用の第２着色層として第２領域用緑色着色層６１Ｇを形成する。
【００７９】
次に、額縁状遮光膜５０、格子状遮光膜５２、第１領域用赤色着色層１６０Ｒ、第２領域用赤色着色層６１Ｒ、第１領域用緑色着色層１６０Ｇ及び第２領域用緑色着色層６１Ｇを含む第１基板９ｂ上全面に、青色着色材料を塗布する。その後、フォトリソグラフィ法を用いてパターニングし、図２１（ｂ）に示すように、第１領域１２０１にストライプ状の第１領域用の第３着色層として第１領域用青色着色層１６０Ｂ及び第２領域１２０２に対応する絵素の約１／３の面積に第２領域用の第３着色層として第２領域用青色着色層６１Ｂを形成する。これにより基板上に着色層が形成されたカラーフィルタ基板１２０´を得る。
【００８０】
その後、カラーフィルタ基板１２０´上に例えばアクリル樹脂などからなるオーバーコート層をスピンコート法による形成する。次に、ＩＴＯ（Ｉｎｄｉｕｍｕ　Ｔｉｎ　Ｏｘｉｄｅ）膜をスパッタ法によりオ−バーコート層上に成膜し、この膜をパターニングしてオーバーコート層上にストライプ状の走査線を形成する。その後、走査線を含むオーバーコート層上にポリイミドなどからなる配向膜を形成し、カラーフィルタ電極基板１２０を得る。
【００８１】
本実施形態における製造方法では、第２領域に形成する着色層を第１領域に形成する着色層と同一工程で形成するので、従来の製造工程数と変わりない。
【００８２】
尚、遮光膜として、上述ではＣｒ（クロム）の金属膜を例にあげたが、黒色顔料が分散された樹脂などを用いることもできる。また、着色層としては顔料が分散された樹脂などを用いることができる。
【００８３】
上述した実施形態では、電気光学装置として、透過型のＴＦＤ素子を用いたアクティブマトリクス型の液晶装置を例にあげたが、これに限られものではなく、反射型液晶装置や半透過半反射型液晶装置、ＴＦＴ素子を用いたアクティブマトリクス型の液晶装置や単純マトリクス型の液晶装置に適用できることは言うまでもない。また、上述した実施形態では、電気光学装置として、液晶装置に適用した場合について説明したが、本発明はこれに限定されず、エレクトロルミネッセンス装置、特に、有機エレクトロルミネッセンス装置、無機エレクトロルミネッセンス装置等や、プラズマディスプレイ装置、ＦＥＤ（フィールドエミッションディスプレイ）装置、ＬＥＤ（発光ダイオード）表示装置、電気泳動表示装置、薄型のブラウン管、液晶シャッター等を用いた小型テレビ、デジタルマイクロミラーデバイス（ＤＭＤ）を用いた装置などの各種の電気光学装置に適用できる。
【００８４】
さらに、上述の実施形態においては、電子機器として携帯電話機を例にあげて説明したが他の電子機器に適用することもできる。以下に、本発明の液晶装置１及び１０１を電子機器に搭載した例を記す。
【００８５】
上記電気光学パネルを含む電気光学装置を電子機器の表示装置として用いる場合の実施形態について説明する。図２３は、本実施形態の全体構成を示す概略構成図である。ここに示す電子機器は、上記と同様の液晶パネル２と、これを制御する制御手段１２００とを有する。ここでは、液晶パネル２００を、パネル構造体２Ａと、半導体ＩＣ等で構成される駆動回路２Ｂとに概念的に分けて描いてある。また、制御手段１２００は、表示情報出力源１２１０と、表示処理回路１２２０と、電源回路１２３０と、タイミングジェネレータ１２４０とを有する。
【００８６】
表示情報出力源１２１０は、ＲＯＭ（Ｒｅａｄ　Ｏｎｌｙ　Ｍｅｍｏｒｙ　）やＲＡＭ（Ｒａｎｄｏｍ　Ａｃｃｅｓｓ　Ｍｅｍｏｒｙ）等からなるメモリと、磁気記録ディスクや光記録ディスク等からなるストレージユニットと、デジタル画像信号を同調出力する同調回路とを備え、タイミングジェネレータ１２４０によって生成された各種のクロック信号に基づいて、所定フォーマットの画像信号等の形で表示情報を表示情報処理回路１２２０に供給するように構成されている。
【００８７】
表示情報処理回路１２２０は、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に駆動回路２００Ｂへ供給する。駆動回路２００Ｂは、走査線駆動回路、データ線駆動回路及び検査回路を含む。また、電源回路１２３０は、上述の各構成要素にそれぞれ所定の電圧を供給する。
【００８８】
また、本発明に係る電子機器としては、モバイル型パーソナルコンピュータ、ディジタルウォッチ、ディジタルスチルカメラ、タッチパネル、電卓、液晶テレビ、プロジェクタ、ビューファインダ型、モニタ直視型のビデオテープレコーダ、カーナビゲーション装置、ページャ、電子手帳、ワードプロセッサ、ワークステーション、テレビ電話機、ＰＯＳ端末機などがあげられる。そして、これらの各種電子機器の表示部として本発明に係る電気光学装置を用いることができる。
【００８９】
【図面の簡単な説明】
【図１】第１実施形態に係る液晶装置の等価回路図である。
【図２】第１実施形態に係る液晶装置の断面図である。
【図３】基板９ａ上に配置されるＴＦＤ、データ線及び画素電極の構造を説明する図であり、図３（ａ）は平面図、図３（ｂ）は図３（ａ）の線Ａ−Ａ´における断面図、図３（ｃ）は概略斜視図である。
【図４】第１実施形態におけるカラーフィルタ電極基板の平面図であり、着色層の配置を説明する図である。
【図５】第１実施形態における液晶装置の着色層、走査線及び画素電極との位置関係を説明するための平面図である。
【図６】第１実施形態における液晶装置の着色層、走査線、画素電極及びデータ線との位置関係を説明するための部分分解斜視図である。
【図７】第１実施形態及び第２実施形態にかかわる液晶装置の構成を示すブロック図である。
【図８】第１実施形態にかかわる液晶装置の動作を説明するためのタイミング図である。
【図９】第１実施形態にかかわる液晶装置の動作を説明するためのタイミング図である。
【図１０】第１実施形態にかかわる液晶装置の効果を説明するための図であり、図１０（ａ）は第１実施形態における表示画面の図、図１０（ｂ）は従来の液晶装置における表示画面の図である。
【図１１】第１実施形態にかかわる液晶装置の効果を説明するための図であり、図１１（ａ）は第１実施形態における液晶装置の表示画面の図、図１１（ｂ）は従来の液晶装置における表示画面の図である。
【図１２】第１実施形態に係るカラーフィルタ基板の製造方法を示す工程図であり、各工程における基板の平面図及び図１２（ａ）に示す平面図の線Ｂ−Ｂ´に沿って切断した部分に対応する断面図である。
【図１３】第２実施形態に係る液晶装置の等価回路図である。
【図１４】第２実施形態に係る液晶装置の断面図である。
【図１５】第２実施形態におけるカラーフィルタ電極基板の平面図であり、着色層の配置を説明する図である。
【図１６】第２実施形態における液晶装置の着色層、走査線及び画素電極との位置関係を説明するための平面図である。
【図１７】第２実施形態にかかわる液晶装置の動作を説明するためのタイミング図である。
【図１８】第２実施形態にかかわる液晶装置の動作を説明するためのタイミング図である。
【図１９】第２実施形態にかかわる液晶装置の効果を説明するための図であり、図１９（ａ）は第２実施形態における液晶装置の表示画面の図、図１９（ｂ）は従来の液晶装置における表示画面の図である。
【図２０】第２実施形態に係るカラーフィルタ基板の製造方法を示す工程図であり、各工程における基板の平面図及び図１２（ａ）に示す平面図の線Ｃ−Ｃ´に沿って切断した部分に対応する断面図である。
【図２１】図２０（ｂ）の次の工程を示す工程図である。
【図２２】本発明に係る電子機器の一実施形態である携帯電話機を示す斜視図である。
【図２３】本発明に係る電子機器のブロック図である。
【符号の説明】
１、１０１…液晶装置
２…液晶表示パネル
９ａ…第２基板
９ｂ…第１基板
２０、１２０…カラーフィルタ電極基板
２０´、１２０´…カラーフィルタ基板
２４…走査線、第１走査線
２５…第１画素電極
２６…対向基板
５０…額縁状の遮光膜
６０Ｒ，６１Ｒ…第２領域用赤色着色層
６０Ｇ、６１Ｇ…第２領域用緑色着色層
６０Ｂ，６１Ｂ…第２領域用青色着色層
１１０…液晶
１２４…第２走査線
１２５…第２画素電極
１６０Ｒ…第１領域用赤色着色層
１６０Ｇ…第１領域用緑色着色層
１６０Ｂ…第１領域用青色着色層
２０１、１２０１…第１領域
２０２、１２０２…第２領域
３１１…携帯電話機
【図１】
2004094167.tif 000003
【図２】
2004094167.tif 000004
【図３】
2004094167.tif 000005
【図４】
2004094167.tif 000006
【図５】
2004094167.tif 000007
【図６】
2004094167.tif 000008
【図７】
2004094167.tif 000009
【図８】
2004094167.tif 000010
【図９】
2004094167.tif 000011
【図１０】
2004094167.tif 000012
【図１１】
2004094167.tif 000013
【図１２】
2004094167.tif 000014
【図１３】
2004094167.tif 000015
【図１４】
2004094167.tif 000016
【図１５】
2004094167.tif 000017
【図１６】
2004094167.tif 000018
【図１７】
2004094167.tif 000019
【図１８】
2004094167.tif 000020
【図１９】
2004094167.tif 000021
【図２０】
2004094167.tif 000022
【図２１】
2004094167.tif 000023
【図２２】
2004094167.tif 000024
【図２３】
2004094167.tif 000025